(57)【要約】【課題】  ＥＵＶ領域で用いられるミラーに関して、ＥＵＶ照明光学装置による照明を光量損失なく均一に照明する為の拡散反射型ミラー及び、前記ミラーを用いた照明光学装置を提供するものである。【手段】  波長６０ｎｍ以下のＥＵＶ光を反射する斜入射型のミラーにおいて、前記ミラーの表面が前記ＥＵＶ光を拡散反射するためサンドブラストにより表面処理を行ったミラーである。これによりミラー表面には極めて微小な凹凸が形成され、このミラーをＥＵＶ照明光学装置に用いることにより、均一な照明を行うことが可能である。【選択図】  図１
2005294622.tif 000002
【特許請求の範囲】
【請求項１】
波長６０ｎｍ以下のＥＵＶ光を反射するミラーにおいて、
前記ミラーの反射面が、サンドブラストにより表面処理が行われていることを特徴とするミラー。
【請求項２】
波長６０ｎｍ以下のＥＵＶ光を反射するミラーにおいて、
前記ミラーの反射面が、前記ＥＵＶ光を拡散反射するためサンドブラストにより表面処理が行われていることを特徴とするミラー。
【請求項３】
請求項１または２に記載されたいずれかのミラーにおいて、
前記ミラーの反射面のサンドブラストによる表面処理が、前記ミラーに入射するＥＵＶ光の入射角度の相違により生じる反射率の相違を均一にするために行われたものであることを特徴とするミラー。
【請求項４】
波長６０ｎｍ以下のＥＵＶ光を反射するミラーにおいて、
前記ミラーがミラー本体となる基板と反射膜となる薄膜から構成されており、
前記基板をサンドブラストにより表面処理が行われた後に、前記薄膜が成膜されたものであることを特徴とするミラー。
【請求項５】
波長６０ｎｍ以下のＥＵＶ光を反射するミラーにおいて、
前記ミラーがミラー本体となる基板と反射膜となる薄膜から構成されており、
前記基板に前記薄膜を成膜した後、サンドブラストにより表面処理を行ったものであることを特徴とするミラー。
【請求項６】
波長６０ｎｍ以下のＥＵＶ光を反射するミラーにおいて、
前記ミラーがミラー本体となる基板と反射膜となる薄膜から構成されており、
前記基板が前記ＥＵＶ光を拡散反射するためサンドブラストにより表面処理を行った後に、前記薄膜を成膜したものであることを特徴とするミラー。
【請求項７】
波長６０ｎｍ以下のＥＵＶ光を反射するミラーにおいて、
前記ミラーがミラー本体となる基板と反射膜となる薄膜から構成されており、
前記基板に前記薄膜を形成した後に、前記ＥＵＶ光を拡散反射するためサンドブラストにより表面処理を行ったものであることを特徴とするミラー。
【請求項８】
請求項１から７に記載されたいずれかのミラーにおいて、
前記ミラーが凹面鏡であることを特徴とするミラー。
【請求項９】
請求項１から８に記載されたいずれかのミラーにおいて、
前記ミラーを使用する際、前記ＥＵＶ光の光束と前記ミラーの表面とにより形成される角度が、３０°以下で使用されるミラーであることを特徴とする斜入射型のミラー。
【請求項１０】
請求項１から９に記載されたいずれかのミラーにおいて、
前記ミラーの表面或いは前記反射膜を構成する材料が、Ｍｏ、Ｒｕ、Ｒｈ、ＭｏＳｉのいずれか、或いはこれらを含む合金又は化合物からなることを特徴とするミラー。
【請求項１１】
請求項４から１０に記載されたいずれかのミラーにおいて、
前記反射膜が、スパッタリング又はイオンプレーティングにより成膜したものであることを特徴とするミラー。
【請求項１２】
波長６０ｎｍ以下のＥＵＶ光を反射するミラーについて、
前記ミラーの反射面となる部分を平坦化した後、
前記ミラーの平坦化された部分をサンドブラストにより表面処理をおこなったことを特徴とするミラーの作成方法。
【請求項１３】
波長６０ｎｍ以下のＥＵＶ光を反射するミラーについて、
前記ミラーがミラー本体となる基板と反射膜となる薄膜から構成されており、
前記基板の反射面となる領域を平坦化した後、
前記基板の平坦化した領域をサンドブラストにより表面処理を行い、
前記サンドブラストにより表面処理をおこなった領域に、前記反射膜となる薄膜を成膜したことを特徴とするミラーの作成方法。
【請求項１４】
波長６０ｎｍ以下のＥＵＶ光を反射するミラーについて、
前記ミラーがミラー本体となる基板と反射膜となる薄膜から構成されており、
前記基板の反射面となる領域を平坦化し、
前記領域に反射膜を成膜した後、
前記反射膜の表面をサンドブラストにより表面処理をおこなったことを特徴とするミラーの作成方法。
【請求項１５】
露光装置等に用いられる照明光学装置であって、
波長６０ｎｍ以下のＥＵＶ光を発生させる光源と、
照明を行うための光学素子を有する照明光学装置において、
前記光学素子に請求項１から１１に記載されたいずれかのミラーを含むことを特徴とする照明光学装置。
【請求項１６】
露光装置等に用いられる照明光学装置であって、
波長６０ｎｍ以下のＥＵＶ光を発生させる光源と、
前記光源からの光を平行光束に変換するコリメーター光学系と、
前記コリメーター光学系からの平行光束を二次光源群からの光束に変換する反射型フライアイ光学系と、
前記反射型フライアイ光学系からの光束をレチクル面に照射するためのコンデンサー光学系を有する照明光学装置において、
前記コンデンサー光学系が複数のコンデンサーミラーにより構成されており、
前記コンデンサーミラーのうち少なくとも一枚が請求項１から１１に記載されたいずれかのミラーであることを特徴とする照明光学装置。
【請求項１７】
マスク上に設けられたパターン像を感光性基板上へ転写する露光装置において、
前記マスクを照明するための請求項１５または１６に記載されたいずれかの照明光学装置と、
前記マスクのパターンの像を前記感光性基板上に形成するための投影光学系とを有していることを特徴とする露光装置。
【請求項１８】
マスク上に設けられたパターン像を感光性基板上へ転写する露光装置において、
少なくとも波長６０ｎｍ以下のＥＵＶ光を光源とする照明光学装置と、
前記マスクのパターンの像を前記感光性基板上に形成するための投影光学系と、
請求項１から１１に記載されたいずれかのミラーを用いて前記照明光学装置の調整を行う機構を有することを特徴とする露光装置。
【請求項１９】
請求項１７または１８に記載されたいずれかの露光装置を用いて、前記マスクのパターンを前記感光性基板上に露光する露光工程と、前記露光工程により露光された前記感光性基板を現像する現像工程とを含むことを特徴とするマイクロデバイスの製造方法。
【発明の詳細な説明】
【技術分野】
【０００１】
本発明は、均一に照明をするための照明光学装置に用いるミラーに関するものであり、主として線幅６０ｎｍ以下の次世代半導体の製造に用いるミラー、当該ミラーを含んだ照明装置、並び当該照明装置を含んだ投影露光装置、当該投影露光装置によるマイクロデバイスの製造方法に関する。
【背景技術】
【０００２】
半導体用露光装置における開口数、使用波長は半導体素子の高密度化、対象線幅の細線化に伴って年々大口径化、短波長化する傾向にある。使用する光線の波長は水銀のｉ線（波長３６５．０１５ｎｍ）から、ＫｒＦエキシマレーザー（波長２４８ｎｍ）へ移り、ＡｒＦエキシマレーザー（波長１９３ｎｍ）を光源とした投影露光装置も実用化されている。
【０００３】
しかし、従来の屈折光学素子を用いた投影光学系では、レンズ等を構成する硝材の透過率の面から、波長１５７ｎｍのＦ2エキシマレーザーを光源として使用したものが限界であり、これより波長が短くなると光学系は屈折部材を一切含まない反射型光学系により構成する必要がある。
【０００４】
現在、波長が６０ｎｍよりも短いＥＵＶ光（極端紫外光）を光源として用いた露光装置が次世代の半導体リソグラフィの手段として研究されている。ＥＵＶ照明光学系の光源としては１３．４ｎｍの光を発するプラズマ光源が検討されており、レーザープラズマ光源、放電プラズマ光源の２種類が存在しているが、発光効率の点から放電プラズマ光源が有力とされている。
【０００５】
このＥＵＶ光源より発せられた光は、コレクター光学系により一点に集められる。集光された光束は、コリメーター光学系により平行光束に変換された後、フライアイ光学系により均一照明の為の二次光源群を形成する。形成された二次光源群からの光束は、コンデンサー光学系を介しレチクル面を照射する。
【０００６】
このように、ＥＵＶ照明光学装置では、これら光学系は全てミラーにより構成されており、このミラーには、多層膜反射ミラーと斜入射型ミラーの二種類がある。多層膜反射ミラーの反射率は７０％と低いものの低収差であるといった特性をもっている。一方、斜入射型反射ミラーは、反射率は９０％程度の高反射率が望めるものの収差が大きくなること、光束を斜めに入射させなければいけないといった問題もある。
【０００７】
照明光学装置では、光量ロスをできるだけ少なくする必要性より、光学的収差にあまり影響を与えない光学系については、斜入射反射型ミラーが多く用いられるように設計されている。
【特許文献１】特開２００３−２２９５０
【発明の開示】
【発明が解決しようとする課題】
【０００８】
ところで、ＥＵＶ照明光学装置は、均一に照明することを目的としており、このためフライアイ光学系が用いられているが、このフライアイ光学系のみで、照明を完全に均一にすることは困難な場合がある。即ち、フライアイ光学系は、一般に二枚のミラーにより構成されており、各々のミラーは、複数の微小ミラーにより構成されている。このため、微小ミラーを限りなく小さくすることができれば良いが、有限の大きさを有していることから、これに起因してレチクル面上で細やかな照明ムラが発生し、完全な意味では均一照明できない場合がある。
【０００９】
可視や真空紫外域においては、拡散板と呼ばれる透明なガラス基板の表面をサンドブラスト等で荒らし、ランダムに光束を分散させ均一照明する素子が用いられている。しかしながら、ＥＵＶ光の領域では、透過率の高い材料は存在せず、このような透過性の拡散板を用いることはできない。
【００１０】
更に、斜入射型反射ミラーは、入射角度に依存して反射率が異なる。このため斜入射型反射ミラーが曲面で構成されている場合等のように、斜入射型反射ミラーに入射する光束角度が反射する位置により異なる場合では、光束が反射する位置により反射率も異なり、反射光は不均一な分布を持った光束となってしまう。
【００１１】
よって、本発明では、照明光学装置において、光量損失がなく照明ムラをなくすことのできる光学素子、及び当該素子を用いた照明光学装置を提供するものである。
【課題を解決するための手段】
【００１２】
本発明は上記課題を解決するためになされたものである。
第１の発明は、波長６０ｎｍ以下のＥＵＶ光を反射するミラーにおいて、前記ミラーの反射面が、サンドブラストにより表面処理が行われていることを特徴とするミラーである。
【００１３】
第２の発明は、波長６０ｎｍ以下のＥＵＶ光を反射するミラーにおいて、前記ミラーの反射面が、前記ＥＵＶ光を拡散反射するためサンドブラストにより表面処理が行われていることを特徴とするミラーである。
【００１４】
第３の発明は、第１または第２のいずれかの発明のミラーにおいて、前記ミラーの反射面のサンドブラストによる表面処理が、前記ミラーに入射するＥＵＶ光の入射角度の相違により生じる反射率の相違を均一にするために行われたものであることを特徴とするミラーである。
【００１５】
第４の発明は、波長６０ｎｍ以下のＥＵＶ光を反射するミラーにおいて、前記ミラーがミラー本体となる基板と反射膜となる薄膜から構成されており、前記基板をサンドブラストにより表面処理が行われた後に、前記薄膜が成膜されたものであることを特徴とするミラーである。
【００１６】
第５の発明は、波長６０ｎｍ以下のＥＵＶ光を反射するミラーにおいて、前記ミラーがミラー本体となる基板と反射膜となる薄膜から構成されており、前記基板に前記薄膜を成膜した後、サンドブラストにより表面処理を行ったものであることを特徴とするミラーである。
【００１７】
第６の発明は、波長６０ｎｍ以下のＥＵＶ光を反射するミラーにおいて、前記ミラーがミラー本体となる基板と反射膜となる薄膜から構成されており、前記基板が前記ＥＵＶ光を拡散反射するためサンドブラストにより表面処理を行った後に、前記薄膜を成膜したものであることを特徴とするミラーである。
【００１８】
第７の発明は、波長６０ｎｍ以下のＥＵＶ光を反射するミラーにおいて、前記ミラーがミラー本体となる基板と反射膜となる薄膜から構成されており、前記基板に前記薄膜を形成した後に、前記ＥＵＶ光を拡散反射するためサンドブラストにより表面処理を行ったものであることを特徴とするミラーである。
【００１９】
第８の発明は、第１から７のいずれかの発明のミラーにおいて、前記ミラーが凹面鏡であることを特徴とするミラーである。
第９の発明は、第１から８のいずれかの発明のミラーにおいて、前記ミラーを使用する際、前記ＥＵＶ光の光束と前記ミラーの表面とにより形成される角度が、３０°以下で使用されるミラーであることを特徴とする斜入射型のミラーである。
【００２０】
第１０の発明は、第１から９のいずれかの発明のミラーにおいて、前記ミラーの表面或いは前記反射膜を構成する材料が、Ｍｏ、Ｒｕ、Ｒｈ、ＭｏＳｉのいずれか、或いはこれらを含む合金又は化合物からなることを特徴とするミラーである。
【００２１】
第１１の発明は、第４から１０のいずれかの発明のミラーにおいて、前記反射膜が、スパッタリング又はイオンプレーティングにより成膜したものであることを特徴とするミラーである。
【００２２】
第１２の発明は、波長６０ｎｍ以下のＥＵＶ光を反射するミラーについて、前記ミラーの反射面となる部分を平坦化した後、前記ミラーの平坦化された部分をサンドブラストにより表面処理をおこなったことを特徴とするミラーの作成方法である。
【００２３】
第１３の発明は、波長６０ｎｍ以下のＥＵＶ光を反射するミラーについて、前記ミラーがミラー本体となる基板と反射膜となる薄膜から構成されており、前記基板の反射面となる領域を平坦化した後、前記基板の平坦化した領域をサンドブラストにより表面処理を行い、前記サンドブラストにより表面処理をおこなった領域に、前記反射膜となる薄膜を成膜したことを特徴とするミラーの作成方法である。
【００２４】
第１４の発明は、波長６０ｎｍ以下のＥＵＶ光を反射するミラーについて、前記ミラーがミラー本体となる基板と反射膜となる薄膜から構成されており、前記基板の反射面となる領域を平坦化し、前記領域に反射膜を成膜した後、前記反射膜の表面をサンドブラストにより表面処理をおこなったことを特徴とするミラーの作成方法である。
【００２５】
第１５の発明は、露光装置等に用いられる照明光学装置であって、波長６０ｎｍ以下のＥＵＶ光を発生させる光源と、照明を行うための光学素子を有する照明光学装置において、前記光学素子に第１から１１の発明のいずれかのミラーを含むことを特徴とする照明光学装置である。
【００２６】
第１６の発明は、露光装置等に用いられる照明光学装置であって、波長６０ｎｍ以下のＥＵＶ光を発生させる光源と、前記光源からの光を平行光束に変換するコリメーター光学系と、前記コリメーター光学系からの平行光束を二次光源群からの光束に変換する反射型フライアイ光学系と、前記反射型フライアイ光学系からの光束をレチクル面に照射するためのコンデンサー光学系を有する照明光学装置において、前記コンデンサー光学系が複数のコンデンサーミラーにより構成されており、前記コンデンサーミラーのうち少なくとも一枚が第１から１１の発明のいずれかのミラーであることを特徴とする照明光学装置である。
【００２７】
第１７の発明は、マスク上に設けられたパターン像を感光性基板上へ転写する露光装置において、前記マスクを照明するための第１５または第１６の発明のいずれかの照明光学装置と、前記マスクのパターンの像を前記感光性基板上に形成するための投影光学系とを有していることを特徴とする露光装置である。
【００２８】
第１８の発明は、マスク上に設けられたパターン像を感光性基板上へ転写する露光装置において、少なくとも波長６０ｎｍ以下のＥＵＶ光を光源とする照明光学装置と、前記マスクのパターンの像を前記感光性基板上に形成するための投影光学系と、第１から１１の発明のいずれかのミラーを用いて前記照明光学装置の調整を行う機構を有することを特徴とする露光装置である。
【００２９】
第１９の発明は、第１７または第１８のいずれかの発明の露光装置を用いて、前記マスクのパターンを前記感光性基板上に露光する露光工程と、前記露光工程により露光された前記感光性基板を現像する現像工程とを含むことを特徴とするマイクロデバイスの製造方法である。
【発明の効果】
【００３０】
本発明では、照明光学装置に使用される反射型拡散ミラー、光量損失が少なく、照明ムラのない均一照明することのできる効果がある。
また、本発明に係る照明光学装置では、光量損失が少なく、照明ムラのない均一な照明をすることができる効果があり、当該照明光学装置にてレチクル面上を照明した場合、均一な照明をすることができ、露光装置に用いた場合では、設計どおりの線幅の露光をおこなうことができる効果がある。
【発明を実施するための最良の形態】
【００３１】
以下、本発明に係る反射型拡散ミラーの作製方法を以下に説明する。
【実施例１】
【００３２】
本発明に係る反射型拡散ミラーは、１３．４ｎｍの波長のＥＵＶ光用に用いられる斜入射型反射ミラーである。
【００３３】
反射型拡散ミラー本体はＭｏからなるものであるが、ＥＵＶ光を斜入射させた場合に反射率の高い材料であれば、これに限定されない。具体的にこのような材料としては、Ｒｕ、Ｒｈ、ＭｏＳｉ等がある。まず、反射型拡散ミラー本体の反射面となる面を鏡面となるまで平坦化のための研磨をおこなう。ここでいう平坦化とは、平面を形成する場合のみならず、曲率を有する反射面において凹凸ない面を形成するための処理を意味する。この平坦化処理は、反射ムラを抑える為に行うものである。
【００３４】
この後、ＥＵＶ光を斜入射に入射させた場合に反射光が拡散されるように、研磨された面のサンドブラスト処理を行う。ここで、サンドブラスト処理とは、エアコンプレッサーを用いて基板表面に、砂等の研磨剤を吹き付け表面の加工をする手法である。尚、サンドブラストは処理を行いすぎると新たな照明ムラが生じるため処理時間や砂の粗さ等の調整が必要である。この後洗浄等をおこなうことにより、図１に示されるような本実施例に係るミラーが完成する。この拡散反射型ミラー１にＥＵＶ光の入射光２を入射させると反射光３は微小な角度で拡散され、反射光３が照射される面では、これら拡散された反射光３が重畳して照射されるため均一に照明することができる。又、斜入射型反射ミラー１は、入射する光束の入射角度に依存して反射率が異なるが、このようにサンドブラストで処理された反射型拡散ミラーでは、表面が緩やかなランダムな凹凸が形成されているため、凹面や凸面の場合であっても照明分布を均一にすることができる。
【００３５】
尚、この後ミラー本体の反射面にＳｉ膜等の保護膜の成膜を行ってもよい。１３．４ｎｍのＥＵＶ領域ではＳｉは屈折率が１に極めて近いため、反射特性に影響を与えることなく、反射面の形状を維持することができるからである。
【実施例２】
【００３６】
本発明に係るミラーの別の実施例を図２に基づき
本実施例に係るミラーは、ミラー本体を構成する基板６上に反射鏡となる反射膜７を設けた構成である。
【００３７】
基板６はＷと銅の合金からなるＷ−Ｃｕにより構成されている。この基板材料は、高い熱伝導率で、反射膜７を構成する材料の熱膨張係数と値が近く、割れにくい材料であることが望ましい。
【００３８】
この基板６の反射面となる面を鏡面となるまで研磨をおこなう。この後、ＥＵＶ光を斜入射に入射させた場合に反射光が拡散されるよう研磨された面のサンドブラスト処理をおこなう。尚、サンドブラストは処理を行いすぎると新たな照明ムラが生じるため処理時間や砂の粗さ等の調整が必要である。この後洗浄等をおこない、更にこの上に反射膜７としてＲｕ膜を約１００ｎｍ成膜する。成膜方法は、スパッタリング或いはイオンビームスパッタによりなされる。これはこれらの成膜方法では付着力の強い膜を得ることができるからである。
【００３９】
この拡散反射型ミラーにＥＵＶ光の入射光８を入射させると反射光９は微小な角度で拡散される。反射光９が照射される面では、これら拡散された反射光９が重畳して照射されるため均一に照明することができる。
【００４０】
尚、反射膜７上に更にＳｉ膜等の保護膜の成膜を行ってもよい。１３．４ｎｍのＥＵＶ領域ではＳｉは屈折率が１に極めて近いため、反射特性に影響を与えることなく、反射面の形状を維持することができるからである。
【実施例３】
【００４１】
以下、本発明に係る照明光学装置の実施例について図３に基づき説明する。
本実施例は、ＥＵＶ光を使用することから照明光学装置全体が真空チャンバー内部に組み込まれ真空ポンプにより排気されている（不図示）。このような真空チャンバー内に、ＥＵＶ光源１１としてプラズマ光源を設置する。このプラズマ光源はＸｅガスを流しながら電極に電界を印加して放電させることによりプラズマを発生させるものである。このプラズマ光源からは、波長１３．４ｎｍのＥＵＶ光が放出されている。
【００４２】
このＥＵＶ光源１１により発光したＥＵＶ光は、斜入射型のコレクター光学系１２により集光する。このコレクター光学系１２は、同心円状に円錐面を複数配置した斜入射型ミラーであり、Ｍｏミラーにより構成されている。このＥＵＶ光源１１とコレクター光学系１２は、一つの容器１３の内部に収められており、コレクター光学系１２によりＥＵＶ光が集光された位置の近傍にはピンホールＰが設けられ、ＥＵＶ光源１１から発生したＥＵＶ光を取り出すことができる構成となっている。また、この容器１３内部は容器外部よりも圧力が低圧に設定され、ＥＵＶ光源１１より発生した飛散物が容器１３の外に飛散しないように圧力調整がなされている。この容器１３のピンホールＰから射出したＥＵＶ光は、コリメーター光学系１４に入射する。
【００４３】
前記コリメーター光学系１４により入射したＥＵＶ光は平行光束に変換され射出される。本実施例では、コリメーター光学系１４内のミラーは、基板にＷ−Ｃｕを用い反射面に反射膜としてＲｕを成膜した斜入射型ミラーであり、光束の入射角度がミラー面に対し１０度の角度で入射されるように設置されている。この角度で斜入射型ミラーにＥＵＶ光束を入射させた場合では反射率は約９０％であり、多層膜ミラーの反射率が７０％程度であるのに対し高い反射率を示す。
【００４４】
コリメーター光学系１４から射出した平行光束のＥＵＶ光は、その後、斜入射型の反射型フライアイ光学系１５に入射し二次光源群を生成する。斜入射型の反射型フライアイ光学系１５は、入射側のフライアイミラーと出射側のフライアイミラーの二枚一組で構成されており、入射側のフライアイミラーは、複数の放物面鏡で構成されている。本実施例では反射型フライアイ光学系１５は、基板にＷ−Ｃｕを用い反射面に反射膜としてＲｕ膜を成膜した斜入射型ミラーであり、光束の入射角度がミラー面に対し１０度の角度で入射されるように設置されている。
【００４５】
反射型フライアイ光学系１５から射出したＥＵＶ光束は、コンデンサー光学系１６を介した後、レチクル１７を照明する。コンデンサー光学系１６は、複数のコンデンサーミラー１６ａ、１６ｂ、１６ｃにより構成されているが、反射型フライアイ光学系１５からの光束が最初に入射するコンデンサーミラー１６ａは、実施例１に記載した反射型拡散ミラーが用いられており、この反射型拡散ミラーからなるコンデンサーミラー１６ａによりＥＵＶ光を均一に照明されるように拡散して反射される。この後コンデンサーミラー１６ｂ、１６ｃに光束が導かれるが、このコンデンサーミラー１６ｂ、１６ｃは、基板にＷ−Ｃｕを用い反射面に反射膜としてＲｕ膜を成膜した斜入射型ミラーにより構成されている。
【００４６】
尚、本実施例では、コンデンサーミラー１６ａをサンドブラスト処理した実施例について記載しているが、他のミラーについてサンドブラスト処理してもよい。また、斜入射型反射ミラーに関しては、入射角度に依存して反射率が異なるが、サンドブラスト処理することにより、ランダムにすることができ均一な分布の反射光を得ることができる。さらに、サンドブラスト処理を斜入射型反射ミラーの表面において部分的に行うことにより、反射角度に依存した反射率の調整を行うことも可能であり、微妙な照明ムラを調整する際に行うと効果的である。
【実施例４】
【００４７】
上述の照明光学装置を含む露光装置により、マイクロデバイスを露光する方法について以下に説明する。この露光装置は、照明光学装置によってマスク(またはレチクル)を照明し(照明工程)、投影光学系を用いてマスクに形成された転写用パターンを感光性基板に露光する(露光工程)ことにより、マイクロデバイス(半導体素子、撮像素子、液晶表示素子、薄膜磁気ヘッド等)を製造することができる。この露光装置を用いて感光性基板としてのウエハ等に所定の回路パターンを形成することによって、マイクロデバイスとしての半導体デバイスを得る際の手法の一例を図４のフローチャートに基づき説明する。
【００４８】
先ず、図４のステップ１０１において、１ロットのウエハ上に金属膜が蒸着される、次のステップ１０２において、その１ロットのウエハ上の金属膜上にフォトレジストが塗布される。その後、ステップ１０３において、上述の実施形態の露光装置を用いて、マスク上のパターンの像がその投影光学系(投影光学モジュール)を介して、その１ロットのウエハ上の各ショット領域に順次露光転写される。その後、ステップ１０４において、その１ロットについてウエハ上のフォトレジストの現像が行われた後、ステップ１０５において、その１ロットのウエハ上でレジストパターンをマスクとしてエッチングを行うことによって、マスク上のパターンに対応する回路パターンが、各ウエハ上の各ショット領域に形成される。その後、更に上のレイヤに回路パターンの形成を行うことによって、半導体素子等のデバイスが製造される。上述の半導体デバイス製造方法によれば、極めて微細な回路パターンを有する半導体デバイスであっても露光することができる。
【００４９】
また、上述の実施形態の露光装置では、プレート(ガラス基板)上に所定のパターン(回路パターン、電極パターン等)を形成することによって、マイクロデバイスとしての液晶表示素子を得ることもできる。
【図面の簡単な説明】
【００５０】
【図１】本発明の実施例１に係るミラーの構成図である。
【図２】本発明の実施例２に係るミラーの構成図である。
【図３】本発明の実施例３に係る照明光学装置の構成図である。
【図４】本発明に係る投影露光装置によりマイクロデバイスを作製するプロセスを示す図である。
【符号の説明】
【００５１】
１  反射型拡散ミラー
２  入射光
３  反射光
６  基板
７  反射膜
８  入射光
９  反射光
【図１】
2005294622.tif 000003
【図２】
2005294622.tif 000004
【図３】
2005294622.tif 000005
【図４】
2005294622.tif 000006